(57)【要約】【課題】版ずれによる見映えの低下を防止することができ、さらに、斬新さを出すことができる文字板を提供する。【解決手段】文字板１は、透明の材料で平板状に形成された基材１０の表面に、円環状の枠８と目盛とを構成する第１印刷層１１と、目盛と数字とを白抜きによって構成するとともに目盛、数字、枠８を除く部分を覆う遮光部９を構成する第２印刷層１２と、が順に印刷されて形成されている。枠８の内縁部には、第１印刷層１１と第２印刷層１２とが互いに重ねられた重なり領域２０が設けられている。また、第１印刷層１１の重なり領域２０に位置する部分には網点１１Ａが設けられ、第２印刷層１２の重なり領域２０に位置する部分には網点１２Ａが設けられている。また、これら網点１１Ａ，１２Ａを構成する各点は、相手側の印刷層側に向かうにしたがって徐々に小さくなるように形成されている。【選択図】図８
2010243281.tif 000002
【特許請求の範囲】
【請求項１】
平板状の基材と、前記基材の表面に印刷された所定色の第１印刷層と、前記第１印刷層が印刷された後に前記基材の表面に印刷された前記所定色と異なる色の第２印刷層と、を有する文字板において、
（イ）前記第１印刷層と前記第２印刷層とが隣接した境界部分に、前記第１印刷層と前記第２印刷層とを互いに重ねた重なり領域が設けられており、
（ロ）前記第１印刷層の前記重なり領域に位置する部分と、前記第２印刷層の前記重なり領域に位置する部分と、のうち少なくとも一方が網点で構成されており、
（ハ）前記網点を構成する各点が、相手側の印刷層側に向かうにしたがって徐々に小さくなるように形成されていることを特徴とする文字板。
【請求項２】
前記第１印刷層と前記第２印刷層とのうち一方に白抜きされた第１の白抜き部が設けられており、他方に前記第１の白抜き部に連続しかつ前記第１の白抜き部と共に表示部を構成する第２の白抜き部が設けられており、
前記第２の白抜き部には、前記第１の白抜き部に向かうにしたがって徐々に点が小さくなる前記他方の色の網点が印刷されており、該網点が印刷された第２の白抜き部の幅が前記第１の白抜き部の幅よりも大きく形成されていることを特徴とする請求項１に記載の文字板。
【請求項３】
前記基材が透光性の材料で構成され、当該基材の裏側に光源が配置されており、前記第１印刷層と前記第２印刷層とのうち一方が透光性塗料で印刷され、他方が遮光性塗料で印刷されていることを特徴とする請求項１または請求項２に記載の文字板。
【発明の詳細な説明】
【技術分野】
【０００１】
本発明は、計器装置等に用いられる文字板に関するものである。
【背景技術】
【０００２】
車両、船舶などの移動体には、各種の計測手段が計測した複数の情報を移動体の乗員に対して表示する計器装置が搭載されている。この計器装置は、文字板と、前記計測手段と接続されたムーブメントと、ムーブメントの出力軸に取り付けられかつ文字板の前面に配置された指針と、文字板の背面側に配置され、文字板及び指針を光輝させる光源などで構成されている。
【０００３】
図１２は従来の文字板を示す図であり、（ａ）は前記文字板の平面図であり、（ｂ）は前記文字板の断面図である。
【０００４】
図１２に示すように、上記文字板１０５は、透光性の基材１１３の表面に、白色の半透過性表示層１１４によって目盛や数字、記号などでなる表示部１０４が形成され、この表示部１０４に隣接する位置に青色の透過印刷層１２０が形成され、そして、表示部１０４及び透過印刷層１２０を除く部分に遮光性の黒色の遮光層１１５が形成されている。また、透過印刷層１２０の表面には、濃紺色の複数のドットで構成される透過光量調節層１２１が形成されている。
【０００５】
また、表示部１０４と透過印刷層１２０との境界部分には、版ずれによる白抜きの発生を防止するために透過光量調節層１２１によって縁取り部１２１Ａが施されている。さらに、透過印刷層１２０と遮光層１１５との境界部分には、版ずれによる白抜きの発生を防止するために遮光層１１５によってトラッピング処理が施されている（特許文献１を参照。）。
【先行技術文献】
【特許文献】
【０００６】
【特許文献１】特開２００００００００３−２５４７９０号公報
【発明の概要】
【発明が解決しようとする課題】
【０００７】
しかしながら、上述した従来の文字板１０５は、縁取り部１２１Ａや遮光層１１５によるトラッピング処理によって、版ずれによる白抜きの発生を防止することはできるが、これら縁取り部１２１Ａや遮光層１１５によるトラッピング処理を施すことによって、表示部１０４や透過印刷層１２０の端部に必ず縁が入ってしまい、見映えが単純になって斬新さに欠けるという問題点があった。
【０００８】
そこで、本発明は、版ずれによる見映えの低下を防止することができ、さらに、斬新さを出すことができる文字板を提供することを目的とする。
【課題を解決するための手段】
【０００９】
上記目的を達成するために請求項１に記載された発明は、平板状の基材と、前記基材の表面に印刷された所定色の第１印刷層と、前記第１印刷層が印刷された後に前記基材の表面に印刷された前記所定色と異なる色の第２印刷層と、を有する文字板において、（イ）前記第１印刷層と前記第２印刷層とが隣接した境界部分に、前記第１印刷層と前記第２印刷層とを互いに重ねた重なり領域が設けられており、（ロ）前記第１印刷層の前記重なり領域に位置する部分と、前記第２印刷層の前記重なり領域に位置する部分と、のうち少なくとも一方が網点で構成されており、（ハ）前記網点を構成する各点が、相手側の印刷層側に向かうにしたがって徐々に小さくなるように形成されていることを特徴とする文字板である。
【００１０】
請求項２に記載された発明は、請求項１に記載された発明において、前記第１印刷層と前記第２印刷層とのうち一方に白抜きされた第１の白抜き部が設けられており、他方に前記第１の白抜き部に連続しかつ前記第１の白抜き部と共に表示部を構成する第２の白抜き部が設けられており、前記第２の白抜き部には、前記第１の白抜き部に向かうにしたがって徐々に点が小さくなる前記他方の色の網点が印刷されており、該網点が印刷された第２の白抜き部の幅が前記第１の白抜き部の幅よりも大きく形成されていることを特徴とするものである。
【００１１】
請求項３に記載された発明は、請求項１または請求項２に記載された発明において、前記基材が透光性の材料で構成され、当該基材の裏側に光源が配置されており、前記第１印刷層と前記第２印刷層とのうち一方が透光性塗料で印刷され、他方が遮光性塗料で印刷されていることを特徴とするものである。
【発明の効果】
【００１２】
請求項１に記載された発明によれば、（イ）前記第１印刷層と前記第２印刷層とが隣接した境界部分に、前記第１印刷層と前記第２印刷層とを互いに重ねた重なり領域が設けられており、（ロ）前記第１印刷層の前記重なり領域に位置する部分と、前記第２印刷層の前記重なり領域に位置する部分と、のうち少なくとも一方が網点で構成されており、（ハ）前記網点を構成する各点が、相手側の印刷層側に向かうにしたがって徐々に小さくなるように形成されているので、前記境界部分において、第１印刷層と第２印刷層とが版ずれした場合でも、基材が露出されず、即ち白抜きが生じず、版ずれによる見映えの低下を防止することができ、さらに、一方の印刷層側から他方の印刷層側に向かうにしたがって徐々に色が変化するような斬新な視認性を実現することができる。
【００１３】
請求項２に記載された発明によれば、前記第１印刷層と前記第２印刷層とのうち一方に白抜きされた第１の白抜き部が設けられており、他方に前記第１の白抜き部に連続しかつ前記第１の白抜き部と共に表示部を構成する第２の白抜き部が設けられており、前記第２の白抜き部には、前記第１の白抜き部に向かうにしたがって徐々に点が小さくなる前記他方の色の網点が印刷されており、該網点が印刷された第２の白抜き部の幅が前記第１の白抜き部の幅よりも大きく形成されているので、第１印刷層と第２印刷層とが第１及び第２の白抜き部の幅方向に沿って版ずれした場合でも、第１の白抜き部と第２の白抜き部とのずれがぼかされて、版ずれによる見映えの低下を防止することができ、さらに、表示部において、第１の白抜き部側から第２の白抜き部側に向かうにしたがって徐々に前記他方の色にグラデーションするような斬新な視認性を実現することができる。
【００１４】
請求項３に記載された発明によれば、前記基材が透光性の材料で構成され、当該基材の裏側に光源が配置されており、前記第１印刷層と前記第２印刷層とのうち一方が透光性塗料で印刷され、他方が遮光性塗料で印刷されているので、さらに斬新な視認性を実現することができる。
【図面の簡単な説明】
【００１５】
【図１】本発明の一実施形態に係る文字板を示す平面図である。
【図２】図１中のＥ部の拡大図である。
【図３】図１に示された文字板を構成する第１印刷層を示す平面図である。
【図４】図３中のＦ部の拡大図である。
【図５】図１に示された文字板を構成する第２印刷層を示す平面図である。
【図６】図５中のＧ部の拡大図である。
【図７】図２中のＡ−Ａ線に沿った断面図である。
【図８】図２中のＢ−Ｂ線に沿った断面図である。
【図９】図２中のＣ−Ｃ線に沿った断面図である。
【図１０】図２中のＤ−Ｄ線に沿った断面図である。
【図１１】図１に示された文字板が用いられる車両用コンビネーションメータの一例を示す平面図である。
【図１２】従来の文字板を示す図であり、（ａ）は前記文字板の平面図であり、（ｂ）は前記文字板の断面図である。
【発明を実施するための形態】
【００１６】
以下、本発明の一実施の形態に係る文字板を図１ないし図１１を参照しながら説明する。
【００１７】
図１などに示す本発明の文字板１は、例えば、図１１に示す車両用コンビネーションメータ２のスピードメータ３を構成する。
【００１８】
上記車両用コンビネーションメータ２は、自動車等に搭載されて前記自動車の乗員に対して該自動車の状況を表示する装置である。上記スピードメータ３は、文字板１、文字板１の背面側に配置され、自動車に搭載された車速計測手段と接続されたムーブメント、ムーブメントの出力軸に取り付けられかつ文字板１の前面に配置された指針４、文字板１の背面側に配置され、文字板１及び指針４を光輝させる光源、等で構成されている。また、前記出力軸は、文字板１に設けられた穴５に通されており、前記車速計測手段が計測した計測量に応じて回転する。また、指針４は、前記車速計測手段が計測した計測量に応じて前記出力軸と一体となって回転することにより、文字板１の目盛６及び数字７を指示し、自動車の状況を表示する。
【００１９】
続いて、文字板１の詳細な構成について説明する。文字板１は図１、図７ないし図１０に示すように、透明の材料で平板状に形成された基材１０の乗員室側の表面に、円環状の枠８と枠８の内側に設けられた目盛６とを構成する第１印刷層１１と、目盛６と数字７とを白抜きによって構成するとともに目盛６、数字７、枠８を除く部分を覆う遮光部９を構成する第２印刷層１２と、が順に印刷されて形成されている。また、図１及び図５においては、数字７を省略している。また、枠８の中央部分には、上述したムーブメントの出力軸が通される穴５が設けられている。
【００２０】
上記第１印刷層１１は、例えば、透光性の青色の塗料で印刷されている。この第１印刷層１１は、上記光源の光を透過して枠８及び後述する目盛６の一端部を青色に光輝させる。
【００２１】
上記第２印刷層１２は、例えば、遮光性の黒色の塗料で印刷されている。
【００２２】
上記枠８は、図２及び図８に示すように、その内縁部に、第１印刷層１１と第２印刷層１２とが互いに重なった重なり領域２０が設けられている。また、第１印刷層１１の重なり領域２０に位置する部分は、網点１１Ａで構成されている。また、第２印刷層１２の重なり領域２０に位置する部分は、網点１２Ａで構成されている。
【００２３】
上記網点１１Ａは、図３及び図４、図８に示すように、複数の青色の点２１ａ，２１ｂの集まりであり、各点２１ａ，２１ｂが、第２印刷層１２側に向かうにしたがって、即ち枠８の内側に向かうにしたがって、徐々に小さくなるように形成されている。このことから、網点１１Ａは、枠８の内側に向かうにしたがって濃度が徐々に薄くなっている。
【００２４】
上記網点１２Ａは、図５及び図６、図８に示すように、複数の黒色の点２２ａ，２２ｂ，２２ｃ，２２ｄの集まりであり、各点２２ａ，２２ｂ，２２ｃ，２２ｄが、第１印刷層１１側に向かうにしたがって、即ち枠８の外側に向かうにしたがって、徐々に小さくなるように形成されている。このことから、網点１２Ａは、枠８の外側に向かうにしたがって濃度が徐々に薄くなっている。
【００２５】
このような網点１１Ａと網点１２Ａとを含んで構成された重なり領域２０は、第２印刷層１２側から第１印刷層１１側に向かうにしたがって、即ち枠８の内側から外側に向かうにしたがって、徐々に黒色から青色に変化するような、即ちグラデーションするような、斬新な視認性を実現することができる。
【００２６】
本発明では、このように、枠８に、網点１１Ａと網点１２Ａとを含んで構成された重なり領域２０が設けられているので、第１印刷層１１と第２印刷層１２とが版ずれした場合でも、基材１０が露出されず、即ち白抜きが生じず、版ずれによる見映えの低下を防止することができ、さらに、斬新さを出すことができる。
【００２７】
上記目盛６は、図２、図７、図９、図１０に示すように、第２印刷層１２に白抜きにより設けられた第１の白抜き部３１と、第１印刷層１１に白抜きにより設けられかつ第１の白抜き部３１に連側した第２の白抜き部３２と、の双方により構成されている。また、第２の白抜き部３２は、図３及び図４に示すように、上述した枠８の内縁部に位置している。また、目盛６は、特許請求の範囲に記載した「表示部」に相当する。
【００２８】
さらに、第２の白抜き部３２には、図２、図４、図７、図９に示すように、網点１１Ｂが印刷されている。この網点１１Ｂは、複数の青色の点３３ａ，３３ｂ，３３ｃ，３３ｄ，３３ｄ，３３ｅの集まりであり、各点３３ａ，３３ｂ，３３ｃ，３３ｄ，３３ｄ，３３ｅが、第１の白抜き部３１に向かうにしたがって、即ち枠８の内側に向かうにしたがって、徐々に小さくなるように形成されている。
【００２９】
さらに、上述した網点１１Ｂが印刷された第２の白抜き部３２は、図９及び図１０に示すように、その幅Ｈ２が、第１の白抜き部３１の幅Ｈ１よりも大きく形成されている。また、図９に示すように、第１印刷層１１と第２印刷層１２とが版ずれしていない状態では、第２の白抜き部３２の幅方向の両端部が、第１の白抜き部３１の幅方向の両端部よりも外側に位置している。
【００３０】
このような第１の白抜き部３１と第２の白抜き部３２との双方により構成された目盛６は、上記光源の光を透過して、第２の白抜き部３２を除く部分を白色に光輝させる。また、第２の白抜き部３２を、第１の白抜き部３１側から第２の白抜き部３２側に向かうにしたがって、即ち枠８の内側から外側に向かうにしたがって、徐々に白色から青色に変化するように、即ちグラデーションするように、光輝させる。このように、目盛６は、斬新な視認性を実現することができる。
【００３１】
本発明では、このように、目盛６が、第１の白抜き部３１と、網点１１Ｂが印刷されかつ第１の白抜き部３１よりも幅が大きく形成された第２の白抜き部３２との双方により構成されているので、第１印刷層１１と第２印刷層１２とが目盛６の幅方向に沿って版ずれした場合でも、第１の白抜き部３１と第２の白抜き部３２とのずれがぼかされて、版ずれによる見映えの低下を防止することができ、さらに、斬新さを出すことができる。
【００３２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  文字板
６  目盛（表示部）
１０  基材
１１  第１印刷層
１１Ａ  網点
１１Ｂ  網点
１２  第２印刷層
１２Ａ  網点
２０  重なり領域
３１  第１の白抜き部
３２  第２の白抜き部
【図１】
2010243281.tif 000003
【図３】
2010243281.tif 000004
【図４】
2010243281.tif 000005
【図５】
2010243281.tif 000006
【図６】
2010243281.tif 000007
【図７】
2010243281.tif 000008
【図８】
2010243281.tif 000009
【図９】
2010243281.tif 000010
【図１０】
2010243281.tif 000011
【図１１】
2010243281.tif 000012
【図１２】
2010243281.tif 000013
【図２】
2010243281.tif 000014
【手続補正書】
【提出日】平成21年4月14日(2009.4.14)
【手続補正１】
【補正対象書類名】明細書
【補正対象項目名】０００６
【補正方法】変更
【補正の内容】
【０００６】
【特許文献１】特開２００３−２５４７９０号公報